(57)【要約】    【課題】プラズマディスプレイパネル自体が振動することによる異常音を除去することが可能なプラズマディスプレイパネルの駆動方法を提供することを目的とする。    【解決手段】連続する複数のサブフィールドからなるサブフィールド群内において、入力映像信号によって示される輝度レベルに応じた１のサブフィールドにて第１の画素データパルスを放電セルに印加することによりこの放電セルの状態を消灯モードの状態に遷移させるべき選択放電を生起させた後、この１のサブフィールドに後続するサブフィールド各々において再び上記選択放電を生起させるべき第２の画素データパルスを放電セルに印加し、上記点灯モードに設定されている放電セルのみを繰り返しサスティン放電させる駆動を実施するにあたり、入力映像信号の平均輝度レベルが所定輝度レベルよりも低い場合には高い場合に比して上記サブフィールド群内において放電セルに印加すべき第２の画素データパルスの数を減らす。    【選択図】  図４
2006251335.tif 000002
【特許請求の範囲】
【請求項１】
複数の行電極対と前記行電極対の各々に交叉した方向に伸張する複数の列電極との各交叉部に画素に対応した放電セルが形成されているプラズマディスプレイパネルを、単位表示期間毎にＮ個（Ｎ：２以上の整数）のサブフィールドにて階調駆動するプラズマディスプレイパネルの駆動方法であって、
前記単位表示期間内において互いに隣接するＭ個（Ｍ：Ｎ以下の整数）のサブフィールドからなるサブフィールド群内の先頭のサブフィールドのみで、全ての前記放電セルを点灯モードの状態に初期化するリセット行程を実行し、
前記サブフィールド群内において、入力映像信号によって示される輝度レベルに応じた１のサブフィールドにて第１の画素データパルスを前記放電セルに印加することにより前記放電セルの状態を消灯モードの状態に遷移させるべき選択放電を生起させた後、前記１のサブフィールドに後続するサブフィールド各々において再び前記選択放電を生起させるべき第２の画素データパルスを前記放電セルに印加するアドレス行程と、前記点灯モードに設定されている前記放電セルのみを繰り返しサスティン放電させるサスティン行程と、を実行し、
前記入力映像信号の平均輝度レベルが所定輝度レベルよりも低い場合には高い場合に比して前記サブフィールド群内において前記放電セルに印加されるべき前記第２の画素データパルスの数を減らすことを特徴とするプラズマディスプレイパネルの駆動方法。
【請求項２】
前記平均輝度レベルが前記所定輝度レベルよりも低い場合には前記サブフィールド群内の後端部のサブフィールドにおいて前記第２の画素データパルスの印加を停止することを特徴とする請求項１記載のプラズマディスプレイパネルの駆動方法。
【請求項３】
前記平均輝度レベルは、前記入力映像信号における１フレーム又は１フィールド分毎の平均輝度レベルであることを特徴とする請求項１記載のプラズマディスプレイパネルの駆動方法。
【請求項４】
前記所定輝度レベルは、表示画面の全体が黒表示となる際の平均輝度レベルよりも１段階だけ高輝度な輝度レベルであることを特徴とする請求項１記載のプラズマディスプレイパネルの駆動方法。
【請求項５】
複数の行電極対と前記行電極対の各々に交叉した方向に伸張する複数の列電極との各交叉部に画素に対応した放電セルが形成されているプラズマディスプレイパネルを、単位表示期間毎にＮ個（Ｎ：２以上の整数）のサブフィールドにて階調駆動するプラズマディスプレイパネルの駆動方法であって、
前記単位表示期間内において互いに隣接するＭ個（Ｍ：Ｎ以下の整数）のサブフィールドからなるサブフィールド群内の先頭のサブフィールドのみで、全ての前記放電セルを消灯モードの状態に初期化するリセット行程を実行し、
前記サブフィールド群内において、入力映像信号によって示される輝度レベルに応じた１のサブフィールドにて第１の画素データパルスを前記放電セルに印加することにより前記放電セルの状態を点灯モードの状態に遷移させるべき選択放電を生起させた後、前記１のサブフィールドに後続するサブフィールド各々において再び前記選択放電を生起させるべき第２の画素データパルスを前記放電セルに印加するアドレス行程と、前記点灯モードに設定されている前記放電セルのみを繰り返しサスティン放電させるサスティン行程と、を実行し、
前記入力映像信号の平均輝度レベルが所定輝度レベルよりも高い場合には低い場合に比して前記サブフィールド群内において前記放電セルに印加されるべき前記第２の画素データパルスの数を減らすことを特徴とするプラズマディスプレイパネルの駆動方法。
【請求項６】
前記平均輝度レベルが前記所定輝度レベルよりも高い場合には前記サブフィールド群内の後端部のサブフィールドにおいて前記第２の画素データパルスの印加を停止することを特徴とする請求項５記載のプラズマディスプレイパネルの駆動方法。
【請求項７】
前記平均輝度レベルは、前記入力映像信号における１フレーム又は１フィールド分毎の平均輝度レベルであることを特徴とする請求項５記載のプラズマディスプレイパネルの駆動方法。
【発明の詳細な説明】
【技術分野】
【０００１】
本発明は、マトリクス表示方式のプラズマディスプレイパネル（以下、ＰＤＰと称する）の駆動方法に関する。
【背景技術】
【０００２】
現在、薄型の画像表示装置として、ＡＣ型(交流放電型)のプラズマディスプレイパネルを搭載したプラズマディスプレイ装置が製品化されている（例えば特許文献１の図２参照）。
【０００３】
かかるプラズマディスプレイ装置に搭載されているプラズマディスプレイパネルとしてのＰＤＰ１０には、アドレス電極としての列電極Ｄ1〜Ｄmと、これら列電極と直交して配列されている行電極Ｘ1〜Ｘn及び行電極Ｙ1〜Ｙnを備えている。このＰＤＰ１０においては、互いに隣接する一対の行電極Ｘ及びＹと、列電極との各交叉部に画素に対応した放電セルが形成される構造となっている。
【０００４】
このプラズマディスプレイ装置では、上記ＰＤＰ１０に対してサブフィールド法を用いた階調駆動を実施することにより、入力映像信号に対応した画像表示を行う（例えば特許文献１の図３〜図５参照）。つまり、１フィールド表示期間毎に、１４個のサブフィールドＳＦ１〜ＳＦ１４各々内にて、入力映像信号に基づき各放電セルを点灯モード及び消灯モードのいずれか一方に設定する画素データ書込行程Ｗｃと、点灯モードに設定されている放電セルのみを繰り返し放電発光させる維持発光行程Ｉｃとを実施する。更に、先頭のサブフィールドのみで、全ての放電セルの状態を初期化するリセット行程Ｉｃを実行する。尚、リセット行程Ｉｃでは、全放電セルに対して一斉にリセット放電を生起させて、各放電セル内に所望量の壁電荷を形成させることにより全ての放電セルを点灯モードの状態に初期化する。
【０００５】
又、画素データ書込行程Ｗｃでは、入力映像信号に基づき各放電セルを点灯モード及び消灯モードのいずれか一方に設定すべく、行電極の各々に順次負極性の走査パルスを印加しつつ、消灯モードに設定すべき放電セルが属する列電極には高電圧、点灯モードに設定すべき放電セルが属する列電極には低電圧の画素データパルスを印加する。これにより、高電圧の画素データパルスが印加された放電セルのみに、その放電セル内の列電極及び行電極間にて放電（選択消去放電）が生起される。かかる選択消去放電により、この放電セル内に存在する壁電荷が消去され、この放電セルは消灯モードに設定される。一方、低電圧の画素データパルスが印加された放電セル内には上記の如き放電が生起されないので、その直前までの状態が維持される。つまり、所望量の壁電荷が残留していた放電セルは点灯モード、壁電荷量が所望量に充たない状態にあった放電セル消灯モードに夫々維持される。
【０００６】
ここで、１フィールド表示期間内の各サブフィールドの内の１のサブフィールドのみで上記選択消去放電を生起させることにより、この選択消去放電が生起されるまでの間の各サブフィールドの維持発光行程Ｉｃにて連続して放電発光が為され、その放電発光の総数に対応した輝度が視覚される（例えば特許文献１の図５参照）。
【０００７】
しかしながら、画素データ書込行程Ｗｃにおいて放電セルを消灯モードに設定させるべく、その放電セルが属する列電極に高電圧の画素データパルスを印加しても、上記選択消去放電が正しく生起されない場合が生じた。
【０００８】
そこで、消灯モードに設定すべき放電セルに対しては、選択消去放電を生起させる画素データパルスを、連続したサブフィールド各々の画素データ書込行程Ｗｃにて繰り返し印加することにより選択消去放電の機会を増加させて、この放電を確実に生起させるようにした駆動方法が提案された（例えば特許文献１の図２９参照）。
【０００９】
ところが、各放電セルを選択消去放電を生起させるべき画素データパルスが周期的に列電極に印加されると、この列電極が形成されている背面基板（図示せぬ）及び行電極が形成されている前面透明基板（図示せぬ）が振動する場合があり、それに伴う耳障りな異常音が発生するという問題が生じた。
【特許文献１】特開２０００−２３１３６２号公報
【発明の開示】
【発明が解決しようとする課題】
【００１０】
本発明は、上記の問題を解決するためになされたものであり、プラズマディスプレイパネル自体が振動することによる異常音を除去することが可能なプラズマディスプレイパネルの駆動方法を提供することを目的とする。
【課題を解決するための手段】
【００１１】
請求項１記載によるプラズマディスプレイパネルの駆動方法は、複数の行電極対と前記行電極対の各々に交叉した方向に伸張する複数の列電極との各交叉部に画素に対応した放電セルが形成されているプラズマディスプレイパネルを、単位表示期間毎にＮ個（Ｎ：２以上の整数）のサブフィールドにて階調駆動するプラズマディスプレイパネルの駆動方法であって、前記単位表示期間内において互いに隣接するＭ個（Ｍ：Ｎ以下の整数）のサブフィールドからなるサブフィールド群内の先頭のサブフィールドのみで、全ての前記放電セルを点灯モードの状態に初期化するリセット行程を実行し、前記サブフィールド群内において、入力映像信号によって示される輝度レベルに応じた１のサブフィールドにて第１の画素データパルスを前記放電セルに印加することにより前記放電セルの状態を消灯モードの状態に遷移させるべき選択放電を生起させた後、前記１のサブフィールドに後続するサブフィールド各々において再び前記選択放電を生起させるべき第２の画素データパルスを前記放電セルに印加するアドレス行程と、前記点灯モードに設定されている前記放電セルのみを繰り返しサスティン放電させるサスティン行程と、を実行し、前記入力映像信号の平均輝度レベルが所定輝度レベルよりも低い場合には高い場合に比して前記サブフィールド群内において前記放電セルに印加されるべき前記第２の画素データパルスの数を減らす。
【００１２】
又、請求項５記載によるプラズマディスプレイパネルの駆動方法は、複数の行電極対と前記行電極対の各々に交叉した方向に伸張する複数の列電極との各交叉部に画素に対応した放電セルが形成されているプラズマディスプレイパネルを、単位表示期間毎にＮ個（Ｎ：２以上の整数）のサブフィールドにて階調駆動するプラズマディスプレイパネルの駆動方法であって、前記単位表示期間内において互いに隣接するＭ個（Ｍ：Ｎ以下の整数）のサブフィールドからなるサブフィールド群内の先頭のサブフィールドのみで、全ての前記放電セルを消灯モードの状態に初期化するリセット行程を実行し、前記サブフィールド群内において、入力映像信号によって示される輝度レベルに応じた１のサブフィールドにて第１の画素データパルスを前記放電セルに印加することにより前記放電セルの状態を点灯モードの状態に遷移させるべき選択放電を生起させた後、前記１のサブフィールドに後続するサブフィールド各々において再び前記選択放電を生起させるべき第２の画素データパルスを前記放電セルに印加するアドレス行程と、前記点灯モードに設定されている前記放電セルのみを繰り返しサスティン放電させるサスティン行程と、を実行し、前記入力映像信号の平均輝度レベルが所定輝度レベルよりも高い場合には低い場合に比して前記サブフィールド群内において前記放電セルに印加されるべき前記第２の画素データパルスの数を減らす。
【発明を実施するための最良の形態】
【００１３】
連続する複数のサブフィールドからなるサブフィールド群内において、入力映像信号によって示される輝度レベルに応じた１のサブフィールドにて第１の画素データパルスを放電セルに印加することによりこの放電セルの状態を消灯モードの状態に遷移させるべき選択放電を生起させた後、この１のサブフィールドに後続するサブフィールド各々において再び上記選択放電を生起させるべき第２の画素データパルスを放電セルに印加し、上記点灯モードに設定されている放電セルのみを繰り返しサスティン放電させる駆動を実施するにあたり、入力映像信号の平均輝度レベルが所定輝度レベルよりも低い場合には高い場合に比して上記サブフィールド群内において放電セルに印加すべき第２の画素データパルスの数を減らす。
【実施例】
【００１４】
以下、本発明の実施例を図を参照しつつ説明する。
【００１５】
図１は、本発明による駆動方法に基づいてプラズマディスプレイパネル（以下、ＰＤＰと称する）を発光駆動するプラズマディスプレイ装置の概略構成を示す図である。
【００１６】
図１において、プラズマディスプレイパネルとしてのＰＤＰ１０は、２次元表示画面の縦方向（垂直方向）に夫々伸張して配列された列電極Ｄ1〜Ｄm、横方向（水平方向）に夫々伸張して配列された行電極Ｘ1〜Ｘn及び行電極Ｙ1〜Ｙnが形成されている。尚、互いに隣接する一対の行電極Ｘ及びＹにて、ＰＤＰ１０の１表示ライン分の表示を行う。これら行電極Ｘ1〜Ｘn及びＹ1〜Ｙnと、列電極Ｄ1〜Ｄmとの間には放電ガスが封入された放電空間（図示せぬ）が設けられており、この放電空間を含む行電極と列電極との各交叉部に画素に対応した放電セルが形成される構造となっている。
【００１７】
Ａ／Ｄ変換器１は、アナログの入力映像信号をサンプリングしてこれを各画素に対応した例えば８ビットの画素データＰＤに変換し、これを平均輝度演算回路２及び画素駆動データ生成回路３の各々に供給する。
【００１８】
平均輝度演算回路２は、上記画素データＰＤに基づき、入力映像信号による画像１フレーム分（又は１フィールド分）毎の平均輝度レベルを算出し、その平均輝度レベルを示す平均輝度信号ＡＰＬを駆動制御回路４に供給する。
【００１９】
画素駆動データ生成回路３は、画素データＰＤに対して多階調化処理を施した後、ＰＤＰ１０の各放電セルを各サブフィールド毎に点灯モード及び消灯モードのいずれか一方に設定すべき１４ビットの画素駆動データＧＤに変換し、これをメモリ５に供給する。
【００２０】
図２は、かかる画素駆動データ生成回路３の内部構成の一例を示す図である。
【００２１】
図２において、多階調化処理回路３１は、８ビットの画素データＰＤに対して誤差拡散処理及びディザ処理を施す。例えば、上記誤差拡散処理では、先ず、画素データＰＤの上位６ビット分を表示データ、残りの下位２ビット分を誤差データと捉える。そして、周辺画素各々に対応した上記画素データＰＤの各誤差データを重み付け加算したものを、上記表示データに反映させる。かかる動作により、原画素における下位２ビット分の輝度が上記周辺画素によって擬似的に表現され、それ故に８ビットよりも少ない６ビット分の表示データにて、上記８ビット分の画素データと同等の輝度階調表現が可能になる。そして、この誤差拡散処理によって得られた６ビットの誤差拡散処理画素データに対してディザ処理を施す。ディザ処理では、互いに隣接する複数の画素を１画素単位とし、この１画素単位内の各画素に対応した上記誤差拡散処理画素データに夫々、互いに異なる係数値からなるディザ係数を夫々割り当てて加算してディザ加算画素データを得る。かかるディザ係数の加算によれば、上記１画素単位で眺めた場合には、上記ディザ加算画素データの上位４ビット分だけでも８ビットに相当する輝度を表現することが可能となる。そこで、多階調化処理回路３１は、上記ディザ加算画素データの上位４ビット分を多階調化画素データＰＤSとしてデータ変換回路３２に供給する。
【００２２】
データ変換回路３２は、発光駆動パターンＡ（後述する）を示す駆動モード信号ＫＳが供給された場合には図３に示すデータ変換テーブルに従って上記多階調化画素データＰＤSを１４ビットの画素駆動データＧＤに変換する。一方、発光駆動パターンＢ（後述する）を示す駆動モード信号ＫＳが供給された場合には、データ変換回路３２は、図４に示すデータ変換テーブルに従って上記多階調化画素データＰＤSを１４ビットの画素駆動データＧＤに変換する。尚、画素駆動データＧＤの第１〜第１４ビットは、夫々後述するサブフィールドＳＦ１〜ＳＦ１４各々に対応している。
【００２３】
メモリ５は、駆動制御回路４から供給された書込信号に従って上記画素駆動データＧＤを順次書き込む。そして、１画面分、つまり第１行・第１列の画素に対応した画素駆動データＧＤ11から、第ｎ行・第ｍ列の画素に対応した画素駆動データＧＤnmまでの(ｎ×ｍ)個分の画素駆動データＧＤの書き込みが終了すると、メモリ５は、以下の如き読み出し動作を行う。
【００２４】
先ず、メモリ５では、書き込まれた１画面分の画素駆動データＧＤ(1,1)〜ＧＤ(n,m)各々を、各ビット桁(第１ビット〜第１４ビット)毎に分割した画素駆動データビットＤＢ１〜ＤＢ１４と捉える。そして、メモリ５は、後述するサブフィールドＳＦ１のアドレス行程Ｗにおいて、画素駆動データビットＤＢ１(1,1)〜ＤＢ１(n,m)を１表示ライン分ずつ読み出してアドレスドライバ６に供給する。又、後述するサブフィールドＳＦ２のアドレス行程Ｗでは、メモリ５は、上記画素駆動データビットＤＢ２(1,1)〜ＤＢ２(n,m)を１表示ライン分ずつ読み出してアドレスドライバ６に供給する。以下、同様にして、メモリ５は、後述するサブフィールドＳＦ３〜ＳＦ１４の各アドレス行程Ｗにて、画素駆動データビットＤＢ３〜ＤＢ１４を１表示ライン分ずつ読み出してアドレスドライバ６に供給するのである。
【００２５】
駆動制御回路４は、上記入力映像信号中の水平及び垂直同期信号に同期して、上記Ａ／Ｄ変換器１に供給すべきクロック信号、及びメモリ５に供給すべき書込及び読出信号を発生する。
【００２６】
又、駆動制御回路４は、平均輝度演算回路２から供給された平均輝度信号ＡＰＬによって示される画像１フレーム分（又は１フィールド分）の平均輝度レベルが所定輝度レベルよりも大であるか否かを判定する。この際、所定輝度レベルよりも大なる場合には、駆動制御回路４は、発光駆動パターンＡ（後述する）を示す駆動モード信号ＫＳを画素駆動データ生成回路３に供給する。一方、かかる平均輝度レベルが所定輝度レベルよりも小である場合には、駆動制御回路４は、発光駆動パターンＢ（後述する）を示す駆動モード信号ＫＳを画素駆動データ生成回路３に供給する。
【００２７】
更に、駆動制御回路４は、１フレーム又は１フィールド分の画像を、図５に示す如き１４個のサブフィールドＳＦ１〜ＳＦ１４に基づく駆動によって表示させるべき各種タイミング信号を発生してアドレスドライバ６、Ｘ電極ドライバ７及びＹ電極ドライバ８各々に供給する。尚、サブフィールドＳＦ１〜ＳＦ１４各々は、入力映像信号に応じてＰＤＰ１０の各放電セルを点灯モード及び消灯モードのいずれか一方に設定するアドレス行程Ｗと、点灯モードに設定されている放電セルのみを繰り返しサスティン放電させてその放電に伴う発光状態を維持させるサスティン行程Ｉとを含む。尚、先頭のサブフィールドＳＦ１に限り、アドレス行程Ｗの直前において全ての放電セルを点灯モードの状態に初期化するリセット行程Ｒを含んでいる。
【００２８】
アドレスドライバ６、Ｘ電極ドライバ７及びＹ電極ドライバ８各々は、駆動制御回路４から供給された各種タイミング信号に応じて、各サブフィールドにおいて図６に示す如き各種駆動パルスを発生し、ＰＤＰ１０の行電極Ｘ及びＹに印加する。尚、図６においては、サブフィールドＳＦ１〜ＳＦ１４の内からＳＦ１及びＳＦ２のみを抜粋して示す。
【００２９】
図６において、リセット行程Ｒでは、第１サスティンドライバ７及び第２サスティンドライバ８が、ＰＤＰ１０の行電極Ｘ1〜Ｘn及びＹ1〜Ｙn各々に対してリセットパルスＲＰx及びＲＰYを同時に印加する。リセットパルスＲＰx及びＲＰYの印加に応じて、ＰＤＰ１０の全放電セルにおいてリセット放電が生起される。かかるリセット放電の終息後、各放電セル内には一様に所定量の壁電荷が形成され、ＰＤＰ１０における全ての放電セルは点灯モードに初期化される。
【００３０】
アドレス行程Ｗでは、アドレスドライバ６は、画素駆動データビットＤＢが論理レベル０である場合には０ボルト、論理レベル１である場合には正極性の所定電圧を有する画素データパルスを発生し、これを１表示ライン分（ｍ個）ずつ列電極Ｄ1〜Ｄmに印加して行く。例えば、サブフィールドＳＦ１のアドレス行程Ｗでは、アドレスドライバ６は、先ず、図６に示す如くＰＤＰ１０の第１表示ラインに対応したｍ個の画素駆動データビットＤＢ１(1,1)〜ＤＢ１(1,m)各々の論理レベルに応じたｍ個の画素データパルスＤＰ１1を生成し、夫々列電極Ｄ1〜Ｄmに同時に印加する。次に、ＰＤＰ１０の第２表示ラインに対応したｍ個の画素駆動データビットＤＢ１(2,1)〜ＤＢ１(2,m)各々の論理レベルに応じたｍ個の画素データパルスＤＰ１2を生成し、夫々列電極Ｄ1〜Ｄmに同時に印加する。以下同様にして、アドレスドライバ６は、ＰＤＰ１０の第３，第４，・・・，第ｎ表示ライン各々に対応した画素駆動データビットＤＢ１(3,1)〜ＤＢ１(3,m)，ＤＢ１(4,1)〜ＤＢ１(4,m)，・・・，ＤＢ１(n,1)〜ＤＢ１(n,m)各々の論理レベルに応じた夫々ｍ個の画素データパルス群ＤＰ１3，ＤＰ１4，・・・，ＤＰ１nを順次、列電極Ｄ1〜Ｄmに印加して行く。この間、Ｙ電極ドライバ８は、各画素データパルス群ＤＰの印加タイミングと同一タイミングにて、図６に示されるが如き負極性の走査パルスＳＰを発生し、これを行電極Ｙ1〜Ｙnへと順次印加して行く。この際、走査パルスＳＰが印加された行電極Ｙと、正極性の所定電圧の画素データパルスが印加された列電極との交叉部の放電セルにのみ放電（選択消去放電）が生じ、その放電セル内に残存していた壁電荷が消去される。従って、この放電セルは、消灯モードに設定される。尚、上記の如き正極性の所定電圧の画素データパルスが印加されなかった列電極に属する放電セルには選択消去放電は生起されないので、この放電セルは直前までの状態を維持する。つまり、所定量の壁電荷が残存する放電セルは点灯モード、一方、壁電荷の量が所定量に充たない放電セルは消灯モードの状態をそのまま維持する。
【００３１】
サスティン行程Ｉでは、Ｘ電極ドライバ７及びＹ電極ドライバ８各々が、以下の如き、各サブフィールドに割り当てられている輝度重み付け値に対応した数だけ、図６に示す如きサスティンパルスＩＰX及びＩＰYを行電極Ｘ1〜Ｘn及びＹ1〜Ｙnに繰り返し印加する。
【００３２】
ＳＦ１：１
ＳＦ２：３
ＳＦ３：５
ＳＦ４：８
ＳＦ５：１０
ＳＦ６：１３
ＳＦ７：１６
ＳＦ８：１９
ＳＦ９：２２
ＳＦ10：２５
ＳＦ11：２８
ＳＦ12：３２
ＳＦ13：３５
ＳＦ14：３９
すると、上記サスティンパルスＩＰX及びＩＰYが印加される度に点灯モードに設定されている放電セルのみが放電（サスティン放電）し、その放電に伴う発光状態が維持される。
【００３３】
尚、サブフィールドＳＦ１〜ＳＦ１４各々のサスティン行程Ｉにおいて各放電セルをサスティン放電させるか否かは、図３又は図４に示す如き画素駆動データＧＤに応じて決定される。画素駆動データＧＤによれば、図３又は図４の発光駆動パターンＡ又はＢにて示されるように、表現すべき輝度階調のレベルに応じた１のサブフィールド（黒丸印にて示す）にて第１回目の選択消去放電を生起させるべく正極性の所定電圧の画素データパルスを列電極に印加する。これにより、放電セルは消灯モードの状態に遷移するので、先頭のサブフィールドＳＦ１のリセット行程Ｒにて点灯モードに初期化された放電セルは、この選択消去放電が生起されるまでの間に存在する各サブフィールド（白丸印にて示す）で点灯モード状態となり、これらのサブフィールドにて連続してサスティン放電が生起される。尚、図５及び図６に示される駆動では、１フレーム（又は１フィールド）表示期間内において放電セルを消灯モードから点灯モードに遷移させることが可能な機会は先頭のサブフィールドＳＦ１のリセット行程Ｒだけである。従って、ＳＦ１以降において一度、選択消去放電が生起され消灯モードに設定された放電セルは、最後尾のサブフィールドＳＦ１４までの間、この消灯モードの状態を維持することになる。この際、サブフィールドＳＦ１〜ＳＦ１４各々において生起されたサスティン放電の総数に対応した中間輝度が視覚される。つまり、図３又は図４に示されるが如き１５種類の発光駆動パターンによれば、発光輝度比が、
｛0、1、4、9、17、27、40、56、75、97、122、150、182、217、255｝
なる１５階調分の中間輝度が表現される。
【００３４】
ここで、図３又は図４に示す発光駆動パターンＡ又はＢでは、１フレーム（又は１フィールド）表示期間内において、表現すべき輝度階調のレベルに応じた１のサブフィールド（黒丸印にて示す）にて第１回目の選択消去放電を生起させるようにしているが、この選択消去放電が正しく生起されない場合がある。
【００３５】
そこで、図３に示す発光駆動パターンＡでは、１のサブフィールドのアドレス行程Ｗにて第１回目の選択消去放電（黒丸印にて示す）を生起させるべき第１の画素データパルスを印加した後も、最後尾のサブフィールドＳＦ１４までの各サブフィールドのアドレス行程Ｗにて、繰り返し第２回目以降の選択消去放電（黒三角印にて示す）を生起させるべき第２の画素データパルスを印加するのである。すなわち、上記の如き第１回目の選択消去放電が正しく生起されなかった場合に備えて、この第１回目の選択消去放電を実施した後も、最後尾のサブフィールドＳＦ１４に到るまでの各サブフィールドにて繰り返し、第２回目以降の選択消去放電を生起させるべき駆動（正極性の所定電圧を有する画素データパルスの印加）を実施するのである。
【００３６】
ところが、同一の放電セルに対して連続したサブフィールド各々において繰り返し選択消去放電を生起させるべき画素データパルスを列電極に印加すると、行電極が形成されている前面透明基板及び列電極が形成されている背面基板が振動する場合があり、それに伴う耳障りな異常音が発生するという問題が生じる。特に、低輝度駆動を行う場合には高輝度駆動を行う場合に比して、第２回目以降の選択消去放電（図３の黒三角印にて示す）を生起させるべき画素データパルスの印加が為されるサブフィールドの数が多くなるので、異常音の発生確率が高くなる。
【００３７】
そこで、図１に示されるプラズマディスプレイ装置では、入力映像信号の平均輝度レベルが所定輝度レベルよりも高い場合には図３に示す如き発光駆動パターンＡに基づく駆動を実施する一方、低い場合には図４に示す如き発光駆動パターンＢに基づく駆動を実施するようにしている。すなわち、入力映像信号の平均輝度レベルが低い場合には、第２回目以降の選択消去放電（黒三角印にて示す）を生起させるべき回数を減らすのである。つまり、例え連続するサブフィールド各々が異常音を誘発する周期であっても、第２回目以降の選択消去放電を生起させるべき画素データパルスの印加が為されるサブフィールドの数が減るので、周期的な画素データパルス印加に伴うパネル振動（異常音）の発生確率が低下する。
【００３８】
尚、上記所定輝度レベルとしては、例えば、予め各種平均輝度レベルを有する映像信号を入力した際に発生した異常音の内で、耳障りと感じられるようになった際に入力された映像信号の平均輝度レベルを用いる。又、上記所定レベルとしては、サブフィールドＳＦ１〜ＳＦ１４の内で、特に異常音が顕著に表れる少なくとも２つの連続するサブフィールドの内の前方のサブフィールドが点灯モード、後方のサブフィールドが消灯モードとなる際の階調輝度レベルを用いるようにしても良い。例えば、サブフィールドＳＦ１２及びＳＦ１３において異常音が顕著に表れる場合には、図３又は図４に示されるように、サブフィールドＳＦ１〜ＳＦ１２にて連続してサスティン放電が為される場合に視覚される輝度「１８２」を上記所定輝度レベルとする。
【００３９】
又、上記実施例においては、入力映像信号の平均輝度レベルが所定輝度レベルよりも高い場合には、図３の発光駆動パターンＡの黒三角印にて示す如く第２回目以降の選択消去放電を最後尾のサブフィールドＳＦ１４まで連続して実行するようにしている。しかしなから、第２回目以降の選択消去放電に関しては、必ずしも最後尾のサブフィールドに到るまで連続して実行する必要はない。又、入力映像信号の平均輝度レベルが所定輝度レベルよりも低い場合には、図４の発光駆動パターンＢの黒三角印にて示す如く、第２回目以降の選択消去放電を連続した３つのサブフィールドにて生起させるべき駆動を行うようにしているが、第２回目以降の選択消去放電を生起させるべき回数は３回に限定されるものではない。
【００４０】
要するに、入力映像信号の平均輝度レベルが所定輝度レベルよりも低い場合には高い場合に比して、第２回目以降の選択消去放電を生起させるべき回数を少なくした駆動を行うようにすれば良いのである。この際、発光駆動パターンＡ及びＢ共に、第１回目の選択消去放電が正しく生起されなかった場合に備え、少なくともその直後のサブフィールドにて第２回目の選択消去放電が生起されるような駆動を行うようにすれば良い。
【００４１】
尚、図３に示すように、１フレーム表示期間内において選択消去放電を生起させるべき駆動を行う回数が最も多くなるのは、表現すべき輝度レベルが０となるときである。すなわち、サブフィールドＳＦ１〜ＳＦ１４各々が全て異常音を誘発する周期であった場合には、表示画面の全面が輝度レベル０となる、いわゆる黒表示時において最もパネル振動（異常音）の発生確率が高いといえる。
【００４２】
そこで、黒表示を行う場合に限り、第２回目以降の選択消去放電を生起させるべき駆動を実施する回数を少なくするようにしても良い。すなわち、上記所定輝度レベルを、表示画面の全体が黒表示となる際の平均輝度レベルよりも１段階だけ高輝度な輝度レベルに設定するのである。
【００４３】
又、上記実施例においては、ＰＤＰ１０を階調駆動させる駆動方法として、予め全放電セル内に所定量の壁電荷を形成させ、入力映像信号に基づいて選択的に各放電セル内に形成されている壁電荷を消去させる、いわゆる選択消去アドレス法を採用した場合の動作について述べた。しかしながら、全放電セル内から壁電荷を消去し（リセット行程Ｒ）、入力映像信号に基づき選択的に各放電セル内に放電（選択書込放電）を生起させて所定量の壁電荷を形成させる（アドレス行程Ｗ）、いわゆる選択書込アドレス法を採用した場合についても同様に実施可能である。この際、駆動制御回路４は、図５に示す発光駆動シーケンスに代わり図７に示す発光駆動シーケンスを採用すると共に、入力映像信号の平均輝度レベルが所定輝度レベルよりも低い場合には図８に示す発光駆動パターンＡに基づく駆動を実施する一方、高い場合には図９に示す発光駆動パターンＢに基づく駆動を実施するのである。
【００４４】
又、上記実施例においては、表現すべき階調輝度レベルに応じた数だけ連続したサブフィールドにてサスティン放電を実行する為のサブフィールド群（ＳＦ１〜ＳＦ１４）を１フレーム（１フィールド）表示期間内に１つだけ設けるようにしているが、このようなサブフィールド群を１フレーム（１フィールド）表示期間内において複数設けるようにした場合にも同様に適用可能である。
【図面の簡単な説明】
【００４５】
【図１】本発明による駆動方法によってプラズマディスプレイパネルの駆動を行うプラズマディスプレイ装置の構成を示す図である。
【図２】図１に示される画素駆動データ生成回路３の内部構成を示す図である。
【図３】発光駆動パターンＡに対応したデータ変換テーブル、並びに発光駆動パターンＡによる駆動を示す図である。
【図４】発光駆動パターンＢに対応したデータ変換テーブル、並びに発光駆動パターンＢによる駆動を示す図である。
【図５】図１に示されるＰＤＰ１０を駆動する際の発光駆動シーケンスの一例を示す図である。
【図６】図１に示されるＰＤＰ１０に印加される各種駆動パルスの印加タイミングを示す図である。
【図７】図１に示されるＰＤＰ１０を駆動する際の発光駆動シーケンスの他の一例を示す図である。
【図８】選択書込アドレス法を採用して駆動を行う場合に採用される発光駆動パターンＡによる動作を示す図である。
【図９】選択書込アドレス法を採用して駆動を行う場合に採用される発光駆動パターンＢによる動作を示す図である。
【主要部分の符号の説明】
【００４６】
２    平均輝度演算回路
３    画素駆動データ生成回路
４    駆動制御回路
１０  ＰＤＰ
【図１】
2006251335.tif 000003
【図２】
2006251335.tif 000004
【図３】
2006251335.tif 000005
【図４】
2006251335.tif 000006
【図５】
2006251335.tif 000007
【図６】
2006251335.tif 000008
【図７】
2006251335.tif 000009
【図８】
2006251335.tif 000010
【図９】
2006251335.tif 000011